(57)【要約】【課題】普通のナットを含む様々な対象物にねじ込んだ後、確実にゆるみを防止することのできるボルトを提供する。【解決手段】本発明に係るゆるみ止めボルト１０は、頭部１１端面から軸部１２側面にかけて斜行する、止めネジ用のネジ穴１３を有することを特徴とする。この止めネジ用のネジ穴は、前記ゆるみ止めボルトの軸部側面を貫通していてもよいし、該ゆるみ止めボルトのネジ山に達しない位置に留まっていても良い。後者の場合、止めネジ用のネジ穴の先端は、前記ゆるみ止めボルトのネジの谷とネジ山の間に達していることが望ましい。止めネジ用のネジ穴がゆるみ止めボルトの軸部側面を貫通している場合、ボルト１０を対象ナットや対象ネジ穴にねじ込んだ後、止めネジ用のネジ穴１３に止めネジ１５をねじ込み、該対象ナットや対象ネジ穴に当接させる。これにより、止めネジ１５の先端と対象ナット又は対象ネジ穴の内面との間の摩擦によって本ゆるみ止めボルト１０のゆるみが防止される。【選択図】図２
2019178786.tif 000002
【特許請求の範囲】
【請求項１】
頭部端面から軸部側面にかけて斜行する、止めネジ用のネジ穴を有することを特徴とするゆるみ止めボルト。
【請求項２】
前記止めネジ用のネジ穴が、前記ゆるみ止めボルトの前記軸部側面を貫通している請求項１に記載のゆるみ止めボルト。
【請求項３】
前記止めネジ用のネジ穴が、前記ゆるみ止めボルトの前記軸部側面のネジ山に達しない位置に留まっている請求項１に記載のゆるみ止めボルト。
【請求項４】
前記止めネジ用のネジ穴が、前記ゆるみ止めボルトのネジの谷とネジ山の間に達している請求項３に記載のゆるみ止めボルト。
【請求項５】
頭部端面から軸部内部にかけて設けられた、止めネジ用のネジ穴と、該ネジ穴側から見たときに該ネジ穴よりも小さい断面を有する、軸部端面から前記ネジ穴に向けて設けられた第２穴とを有することを特徴とするゆるみ止めボルト。
【請求項６】
前記第２穴が前記ネジ穴よりも小径の穴である請求項５に記載のゆるみ止めボルト。
【請求項７】
前記第２穴が前記ネジ穴とは中心がズレた同径又はそれよりも大径の穴である請求項５に記載のゆるみ止めボルト。
【発明の詳細な説明】
【技術分野】
【０００１】
本発明は、ナットや対象物にねじ込んだ後のゆるみを防止することのできるボルトに関する。
【背景技術】
【０００２】
ボルトを対象物にねじ込んだ後、そのゆるみを防止するためのボルト側の機構としては、特許文献１に記載のようなものがある。
【先行技術文献】
【特許文献】
【０００３】
【特許文献１】特開2012-112481号公報
【発明の概要】
【発明が解決しようとする課題】
【０００４】
特許文献１に記載のゆるみ止めボルトでは、専用のナットを用意しなければならないため、適用範囲が限られてしまう。
本発明が解決しようとする課題は、普通のナットを含む様々な対象物にねじ込んだ後、確実にゆるみを防止することのできるボルトを提供することである。
【課題を解決するための手段】
【０００５】
上記課題を解決するために成された本発明に係るゆるみ止めボルトの第１の形態のものは、頭部端面から軸部側面にかけて斜行する、止めネジ用のネジ穴を有することを特徴とする。
【０００６】
この止めネジ用のネジ穴は、前記ゆるみ止めボルトの軸部側面を貫通していてもよいし、該ゆるみ止めボルトのネジ山に達しない位置に留まっていても良い。
【０００７】
第１の形態のゆるみ止めボルトでは、止めネジ用のネジ穴がゆるみ止めボルトの軸部側面を貫通している場合、該ボルトを対象ナットや対象ネジ穴にねじ込んだ後、止めネジ用のネジ穴に止めネジをねじ込み、該対象ナットや対象ネジ穴に当接させる。これにより、止めネジの先端と対象ナット又は対象ネジ穴の内面との間の摩擦によって本ゆるみ止めボルトのゆるみが防止される。
【０００８】
第１の形態のゆるみ止めボルトで、止めネジ用のネジ穴がゆるみ止めボルトのネジ山に達しない位置に留まっている場合、該ボルトを対象ナットや対象ネジ穴にねじ込んだ後、止めネジ用のネジ穴に止めネジを最後までねじ込む。これにより、止めネジの先端が、該止めネジ用のネジ穴の先端に最も近い箇所の前記ボルトの外径を広げ、その箇所において該ボルトのネジと対象ネジ穴の内面との間の摩擦によって本ゆるみ止めボルトのゆるみが防止される。
【０００９】
この場合、止めネジ用のネジ穴の先端は、前記ゆるみ止めボルトのネジの谷とネジ山の間に達していることが望ましい。
【００１０】
こうすることにより、止めネジ用のネジ穴に止めネジをねじ込んだとき、ねじ込む力が小さくても前記ボルトの外径が容易に広がるようになるため、前記ボルトのゆるみ止めが容易となる。
【００１１】
また、本発明に係るゆるみ止めボルトの第２の形態のものは、頭部端面から軸部内部にかけて設けられた、止めネジ用のネジ穴と、該ネジ穴側から見たときに該ネジ穴よりも小さい断面を有する、軸部端面から前記ネジ穴に向けて設けられた第２穴とを有することを特徴とする。
【００１２】
第２の形態のゆるみ止めボルトでは、該ボルトを対象ナットや対象ネジ穴にねじ込んだ後、該ボルトの頭部から止めネジ用のネジ穴に止めネジをねじ込んでゆき、前記第２穴に当接した時点で更に強くねじ込む。第２穴はその断面が止めネジ用のネジ穴の断面よりも小さいため、止めネジはそれ以上は進まないが、ねじ込まれる力によりその先端で第２穴を僅かに広げる。これにより、該ボルトはその箇所で僅かに径が大きくなり、対象ナットや対象ネジ穴の内面との間の摩擦が大きくなる。これにより、本ゆるみ止めボルトのゆるみが防止される。
【００１３】
前記第２穴は、前記ネジ穴よりも小径の穴であってもよいし、前記ネジ穴とは中心がズレた同径又はそれよりも大径の穴であってもよい。
【００１４】
本発明の第１及び第２形態のゆるみ止めボルトにおいて、止めネジとしてはホーローセット（いわゆる「いもネジ」）を用いることができる。
【発明の効果】
【００１５】
本発明に係るゆるみ止めボルトは、専用のナットを要することなく、それ自体で、対象ナットや対象ネジ穴にねじ込んだ後のゆるみが防止される。
【図面の簡単な説明】
【００１６】
【図１】本発明の第１の形態のゆるみ止めボルトの一例の平面図(a)及び側面図(b)、並びにそれに用いる止めネジの平面図及び側面図(c)。
【図２】前記第１の形態のゆるみ止めボルトの一例をねじ込むブロックの側面図(a)及び該ボルトを該ブロックにねじ込んだ状態の側面図(b)。
【図３】本発明の第２の形態のゆるみ止めボルトの一例の平面図(a)及び側面図(b)、並びにそれに用いる止めネジの平面図及び側面図(c)。
【図４】前記第２の形態のゆるみ止めボルトの一例に、板材を介してナットを締め付けた状態の側面図。
【図５】本発明の第１の形態のゆるみ止めボルトの第２の例の平面図(a)及び側面図(b)、並びにそれに用いる止めネジの平面図及び側面図(c)。
【図６】前記第１の形態のゆるみ止めボルトの第２の例のネジ部分の拡大図。
【図７】前記第１の形態のゆるみ止めボルトの第３の例のネジ部分の拡大図。
【発明を実施するための形態】
【００１７】
本発明の第１の形態のゆるみ止めボルトの一例を図１(a)〜(c)を用いて説明する。このゆるみ止めボルト１０は、呼び径が20mm、呼び長さが30mmの全ネジボルトである。側面図(b)に破線で示されているように、本実施例のゆるみ止めボルト１０の内部には、頭部１１の端面から軸部１２の側面にかけて斜行して、止めネジ用のネジ穴１３が設けられている。この例では、止めネジ用のネジ穴１３はゆるみ止めボルト１０の軸部側面を貫通している。
【００１８】
このゆるみ止めボルト１０を、図２(a)に示すようなブロック１６にねじ込む場合の使用例を次に示す。ブロック１６には、このゆるみ止めボルト１０に対応するネジ穴１７を設けておく。このネジ穴１７にゆるみ止めボルト１０を、ワッシャ１８を介してねじ込んでゆき、所期の深さに達した時点で、止めネジ用のネジ穴１３に、ゆるみ止めボルト１０の頭部１１の穴から、止めネジ１５（図１(c)）をねじ込んでゆく。止めネジ１５は六角レンチ（図示せず）によりネジ穴１３にねじ込んでゆく。そして、止めネジ１５がブロック１６の壁面に到達した時点で止めネジ１５を強く締める（図２(b)）。
これにより、ゆるみ止めボルト１０はブロック１６に確実に固定され、ゆるむことがない。
【００１９】
本発明の第２の形態のゆるみ止めボルトの一例を図３(a)〜(c)を用いて説明する。このゆるみ止めボルト２０は、呼び径が10mm、呼び長さが20mmの全ネジボルトである。側面図(b)に破線で示されているように、本実施例のゆるみ止めボルト２０の内部には、頭部２１の端面から軸部２２の中まで、止めネジ用のネジ穴２３が設けられている。そして、軸部２２の端面からそのネジ穴２３に向けて、そのネジ穴２３の中心とは少しずれた中心を持つ、同径の穴（第２穴）２４が設けられている。第２穴２４にはネジは切られていない（ネジを切ってもよいが、その必要がない）。
【００２０】
このゆるみ止めボルト２０を、板を締め付ける場合に使用する例を図４により説明する。板２６にはこのボルト２０の呼び径よりも大きい穴を開けておき、そこにこのボルト２０を通す。そして、ナット２７をボルト２０のネジにねじ込んでゆき、板２６を確実に締める。その後、ボルト２０の頭部２１からネジ穴２３に止めネジ２５を六角レンチでねじ込んでゆく。止めネジ２５がネジ穴２３の底に達した時点で止めネジ２５はそれ以上進まないが、ここで止めネジ２５を更に強くねじ込む。こうすることにより、第２穴２４が径方向に僅かに拡がり、それに伴いボルト２０の軸部２２が径方向に僅かに拡がる。このため、ボルト２０の軸部２２とナット２７の内面の摩擦が大きくなり、ゆるみ止めボルト２０はナット２７に確実に固定されることになる。
【００２１】
図３に示した第２の形態のゆるみ止めボルトの例では、第２穴２４は頭部２１の端面から軸部２２まで設けられた止めネジ用のネジ穴２３と同径で中心軸がズレているものであったが、ネジ穴２３と中心軸が同じで、それよりもやや小径としてもよい。
【００２２】
本発明の第１の形態のゆるみ止めボルトの第２の例を図５及び図６を用いて説明する。このゆるみ止めボルトの基本的形態は図１及び図２に示したものと同じであり、ゆるみ止めボルト３０の内部に、頭部３１の端面から軸部３２の側面にかけて斜行して、止めネジ用のネジ穴１３が設けられている。しかしこの第２の例では、ネジ穴３３がボルト３０の軸部３２を貫通することなく、先端は軸部３２の内部に留まっている。このネジ穴３３に止めネジ１５をねじ込んだ状態を図６に示す。
【００２３】
この第２の例でも、止めネジ１５をネジ穴３３の先端までねじ込むと、ネジ穴３３の先端がボルト３０の軸部３２の表面のすぐ近くまで来ているため、止めネジ１５がその箇所において軸部３２を外側に押し広げ、このボルト３０がねじ込まれるブロックやナット（図２の１６や図４の２７）の内ネジとの間に摩擦を生じさせてこのボルト３０のゆるみを防止する。
【００２４】
本発明の第２の形態のゆるみ止めボルトの第３の例を図７を用いて説明する。第３の例は、基本的形態は第２の例と同じであるが、止めネジ用のネジ穴１３の先端が軸部３２の内部に完全に留まるのではなく、ボルト３０の軸部３２のネジの谷とネジ山の間にまで達している。
【００２５】
これにより、止めネジ１５をネジ穴３３の先端までねじ込んだとき、止めネジ１５をねじ込む力が小さくとも、ボルトの軸部３２を外側に押し広げる効果が容易に得られ、ボルト３０のゆるみが防止される。
【符号の説明】
【００２６】
１０、２０、３０…ゆるみ止めボルト
１１、２１、３１…頭部
１２、２２、３２…軸部
１３、２３、３３、３４…止めネジ用ネジ穴
２４…第２穴
１５、２５…止めネジ
１６…ブロック
１７…ネジ穴
１８…ワッシャ
２６…板
２７…ナット
【図１】
2019178786.tif 000003
【図２】
2019178786.tif 000004
【図３】
2019178786.tif 000005
【図４】
2019178786.tif 000006
【図５】
2019178786.tif 000007
【図６】
2019178786.tif 000008
【図７】
2019178786.tif 000009